(57)【要約】【課題】本発明は、部材の支柱をコアの貫通孔に貫通させて先端部を溶着させることにより、レゾルバやモータを装置に容易に取付けることを目的とする。【解決手段】本発明によるコア固定構造は、コア(4)に形成されその厚さ方向に貫通する貫通孔(5)と、前記貫通孔(5)を貫通する支柱(2)を有する部材(1)とよりなり、支柱(2)の先端部(2A)が溶融後に固化していることにより、コア(4)は支柱(2)を介して部材(1)に固定されている構成である。【選択図】図２
2008109818.tif 000002
【特許請求の範囲】
【請求項１】
全体形状が輪状をなすコア(4)と、前記コア(4)に形成されその厚さ方向に貫通する貫通孔(5)と、前記貫通孔(5)を貫通する支柱(2)を有する部材(1)とよりなり、前記支柱(2)の先端部(2A)が溶融後に固化していることにより前記コア(4)は前記支柱(2)を介して前記部材(1)に固定されていることを特徴とするコア固定構造。
【請求項２】
前記コア(4)は、積層型又は焼結型からなることを特徴とする請求項１記載のコア固定構造。
【請求項３】
前記部材(1)及び支柱(2)は、樹脂よりなることを特徴とする請求項１又は２記載のコア固定構造。
【請求項４】
前記部材(1)及び支柱(2)は、金属よりなることを特徴とする請求項１又は２記載のコア固定構造。
【請求項５】
前記コア(4)は、モータ又はレゾルバのステータであることを特徴とする請求項１ないし４の何れかに記載のコア固定構造。
【請求項６】
前記コア(4)は、モータのロータであることを特徴とする請求項１ないし４の何れかに記載のコア固定構造。
【請求項７】
前記部材(1)は輪状をなすと共にその外縁に輪状曲折部(3)を有し、前記輪状曲折部(3)は前記コア(4)の外周を覆うように構成されていることを特徴とする請求項１、２、３、５の何れかに記載のコア固定構造。
【請求項８】
前記コア(4)の内側には、軸(12)に設けたロータ(14)が回転自在に設けられていることを特徴とする請求項１記載のコア固定構造。
【発明の詳細な説明】
【技術分野】
【０００１】
本発明は、コア固定構造に関し、特に、レゾルバ及びモータ等のコアの貫通孔に部材の支柱を貫通させて先端部を溶着することにより、コアを部材に容易に固定し、レゾルバ及びモータを装置に取付ける構造を容易化するための新規な改良に関する。
【背景技術】
【０００２】
従来、用いられていたこの種の例えばレゾルバのコア固定構造としては、例えば、特許文献１及び２があり、これらのレゾルバは、ステータが外部に対して直接露出しているため、例えば、ケース等にレゾルバを固定する際に、図示しないネジやリング圧入など別部品による固定が採用されていた。
【０００３】
【特許文献１】米国特許第６８７３０７４号明細書
【特許文献２】特開平１０−３０９０６７号公報
【発明の開示】
【発明が解決しようとする課題】
【０００４】
従来のコア固定構造は、以上のように構成されていたため、次のような課題が存在していた。
すなわち、レゾルバ及びモータのステータは外部に対して直接露出しているため、機器側に取付けるためには、前述のように、ネジやリング圧入など別部品を用意しせければならず、部品点数が多くなると共に、余分なスペースを必要とし、小型化、省スペース化、取付けの容易化を確保することができなかった。
【課題を解決するための手段】
【０００５】
本発明によるコア固定構造は、全体形状が輪状をなすコアと、前記コアに形成されその厚さ方向に貫通する貫通孔と、前記貫通孔を貫通する支柱を有する部材とよりなり、前記支柱の先端部が溶融後に固化していることにより前記コアは前記支柱を介して前記部材に固定されている構成であり、また、前記コアは、積層型又は焼結型からなる構成であり、また、前記部材及び支柱は、樹脂よりなる構成であり、また、前記部材及び支柱は、金属よりなる構成であり、また、前記コアは、モータ又はレゾルバのステータとした構成であり、また、前記コアは、モータのロータとした構成であり、また、前記部材は輪状をなすと共にその外縁に輪状曲折部を有し、前記輪状曲折部は前記コアの外周を覆うようにした構成であり、また、前記コアの内側には、軸に設けたロータが回転自在に設けられている構成である。
【発明の効果】
【０００６】
本発明によるコア固定構造は、以上のように構成されているため、次のような効果を得ることができる。
すなわち、部材に設けられた支柱をコアの貫通孔に挿入して先端部を溶融化して固化することにより、コアを部材に支持させているため、この部材をケースとして用いることができ、レゾルバ及びモータをこの部材を介して機器等に直接取付けることができ、部品点数の低減、コストダウン、省スペース化等を達成することができる。
【発明を実施するための最良の形態】
【０００７】
本発明は、レゾルバおよびモータ等のコアの貫通孔に部材の支柱を貫通させて先端部を溶着することにより、コアを部材に容易に固定し、レゾルバ及びモータを装置に取付ける構造を容易化したコア固定構造を提供することを目的とする。
【実施例】
【０００８】
以下、図面と共に本発明によるコア固定構造の好適な実施の形態について説明する。
図１において符号１で示されるものは全体形状が輪状をなし、樹脂又は金属よりなる部材であり、この部材１の内側には軸方向と並行に一体に突出する支柱２が形成され、この部材１の外縁、すなわち、前記支柱２の外側位置には、内方へ向けて曲折する輪状曲折部３が一体に形成されている。
【０００９】
前記支柱２及び輪状曲折部３を一体に有する部材１は、ケースとしての役目をなすように構成され、前記支柱２には積層型あるいは焼結型からなる輪状の板体形状からなるコア（この場合はステータをなす）４が固定されている。
【００１０】
前記コア４と支柱２とを固定する場合、図２で示されるように、コア４の厚さ方向に沿って貫通して形成されている貫通孔５内に前記支柱２を貫通させ、この貫通孔５から突出した前記支柱２の先端部２Ａに対し、溶着ホーン１０を当接させて加熱し、この先端部２Ａを溶かし、その後、加熱を解除すると、この先端部２Ａは溶着ホーン１０の弧状の内面形状部１０Ａに沿って弧状の外面を有する前記先端部２Ａとなる。
【００１１】
前記先端部２Ａの固化により、前記コア４と支柱２と部材１とは、互いに一体に固定された状態となる。
前記コア４には、巻線１１が設けられており、この巻線１１とコア４によりステータが構成されている。
【００１２】
前記部材１及びコア４の内側には、軸１２に設けられたコア１３からなるロータ１４が回転自在に配設されており、このコア１３に積層型又は焼結型で構成されている。
【００１３】
従って、前述の部材１、コア４、コア１３及び軸１２の組合わせにより、周知のモータ又はレゾルバを構成することができる。
また、モータ又はレゾルバを構成する場合、部材１がケース自体を構成することができ、前記輪状曲折部３がコア４の外周４ａを覆っているため、コア４が部材１により保護されるように構成されている。
前述のモータ又はレゾルバは、前記部材１を介して、図示しない装置側へ直接取付けることができる。
【００１４】
尚、前記部材１は、前述のように、ステータを構成するだけでなく、部材１側を受け側とする構造であれば、ロータの固定及び他のコア全般の固定に適用することができる。
【図面の簡単な説明】
【００１５】
【図１】本発明によるコア固定構造を示す断面図である。
【図２】図１の支柱の溶着を行う工程を示す説明図である。
【符号の説明】
【００１６】
１    部材
２    支柱
２Ａ    先端部
３    輪状曲折部（ケース）
４    コア（ステータ）
５    貫通孔
１０    溶着ホーン
１１    巻線
１２    軸
１３    コア
１４    ロータ
【図１】
2008109818.tif 000003
【図２】
2008109818.tif 000004